(57)【要約】【目的】本発明は、極めて軽く耳への取り外しが簡単で、使用する人の耳朶のラインに添って自在に変形できるためイヤリングが耳に密着し、外れ難いとともに耳に取り付けても痛みがなく、耳の後ろ側の見た目もシンプルですっきりとしたピアス感覚でお洒落を楽しめるイヤリングを提供することを目的とするものである。【構成】本発明は、上記の課題を解決するために、耳のラインに沿ったＵ字型の彎曲部とゴムの摩擦力を利用し固定強度を高めた挟着部と装飾部からなることを特徴とするイヤリングの構成とした。【選択図】　図１
2004073702.tif 000002
【特許請求の範囲】
【請求項１】
イヤリングの装着具内部に中空のゴムを内蔵し、その中を通すピンの軸に球状の膨張部を設けることでゴムに引っかかり易くし、固定力を強化させたことを特徴とするイヤリング。
【請求項２】
イヤリングの留め具を耳朶に沿うように曲面にし、またイヤリングへの装着をネジ式にすることで、挟着の強さを変えることができ、固定力を強くするために環状ゴムを使用したことを特徴とするイヤリング。
【請求項３】
イヤリングの留め具を回転可能とし、ぐらつきや緩みを押さえるためにゴムを内蔵したことを特徴とするイヤリング。
【請求項４】
イヤリングの留め具の大きさを小さくし、目立たなくしたことを特徴とする請求項１、請求項２又は請求項３に記載のイヤリング。
【請求項５】
イヤリングの留め具先端にカバーを付けることで耳にかかる挟着による痛みを軽減させたことを特徴とする請求項１、請求項２又は請求項３に記載のイヤリング。
【請求項６】
貫通孔のある略四角形の押止部を回動可能に取り付け、痛みを軽減させるようにしたことを特徴とするイヤリング。
【請求項７】
貫通孔のある略四角形の押止部をネジの仕組みを利用して回動可能に取り付け、回転保護板により、ぐらつきや緩みを制御したことを特徴とするイヤリング。
【請求項８】
イヤリングの押止部を小さくすることで、目立たなくすることを特徴とした請求項６又は請求項７に記載のイヤリング。
【請求項９】
イヤリングの押止部にカバーをつけることで、耳の痛みを軽減させたことを特徴とする請求項６又は請求項７に記載のイヤリング。
【発明の詳細な説明】
【０００１】
【発明が属する技術分野】
本発明は、装飾品であるイヤリングの改良に関する発明である。
【０００２】
【従来の技術】
従来のネジ式のイヤリングは、取り外しに時間がかかり、クリップ式のイヤリングは挟む力が強すぎて痛みを伴うものであったり、力が弱すぎて外れやすいものであった。また、装着具が見た目に大きすぎるものであった。
【０００３】
【発明が解決しようとする課題】
しかしながら、前記イヤリングでは、イヤリングの取り付ける際、又は取り外す際に、イヤリングに取り付けられているネジ式の挟着具を操作して耳朶に着脱する必要があるために着脱に時間がかかりすぎるとの欠点がある。
【０００４】
また、イヤリングに取り付けられているネジ式の挟着具では、ネジを強く締め付けると耳の耳朶が痛み、緩め過ぎるとイヤリングが外れやすく、その調整が難しかった。
【０００５】
更に、イヤリングに取り付けられているネジ式の挟着具はイヤリングに比して可成り大きく、耳朶にイヤリングを装着した際には後方からイヤリングを見るとイヤリングより挟着具が大きく目立ち違和感があった。
【０００６】
そして、ピアスを装着するため耳に穴をあけると、穴を空けた部分が化膿したり傷がついたりするため、ピアスに抵抗感を持つ人も多かった。
【０００７】
そこで、本発明は、極めて軽く耳への取り外しが簡単で、使用する人の耳朶のラインに添って自在に変形できるためイヤリングが耳に密着し、外れ難いとともに耳に取り付けても痛みがなく、耳の後ろ側の見た目もシンプルですっきりとしたピアス感覚でお洒落を楽しめるイヤリングを提供することを目的とするものである。
【０００８】
【課題を解決するための手段】
そこで、本発明は上記の問題を解決するために耳のラインに沿ったＵ字型の彎曲部とゴムの摩擦力を利用し固定強度を高めた挟着部と装飾部からなることを特徴とするイヤリングの構成とした。
【０００９】
【実施例】
以下に添付図面に基づき、本発明であるイヤリングについて詳細に説明する。
【００１０】
図１は本発明であるイヤリングの第１実施例を装着した状態を示す正面図、図２はイヤリングの第１実施例の正面図である。
【００１１】
図１及び図２に示すように、本発明であるイヤリング１は、Ｕ字型に彎曲した彎曲部１ａと、挟着具１ｃと、装飾具１ｄとからなる。彎曲部１ａの下端より耳朶２ａの前側方向には、輪状具１ｆが設けられ、鎖１ｅを介して、前記装飾具１ｄが吊り下げられている。
【００１２】
彎曲部１ａの耳朶２ａの後側にくる方の一端には、挟着具受け部１ｂが設けられており、挟着具受け部１ｂには挟着具１ｃが挿通されている。前記挟着具１ｃを彎曲部１ａの内方へ向かって押し狭めて耳朶２ａを挟み、イヤリング１を留める。
【００１３】
図３は、イヤリングの第１実施例の狭着具受け部の拡大図、図４は、狭着具受け部の断面図、図５は、挟着具受け具の右側面図である。
【００１４】
図３に示すように、挟着具受け部１ｂは、ケース１ｇと環状ゴム１ｈとからなり、ケース１ｇ及び環状ゴム１ｈは共に中空の円柱状をしている。
【００１５】
図４及び図５に示すように、中空のケース１ｇは、前記環状ゴム１ｈを内包しており、環状ゴム１ｈには貫通孔１ｉが空いている。
【００１６】
図６は、イヤリングの第１実施例の狭着具の拡大図である。挟着具１ｃは、密着皿１ｊと、軸１ｋと、背面装飾部１ｌとからなり、軸１ｋの一端に密着皿１ｊが、もう一端に宝石などを取り付けた背面装飾部１ｌが連設されている。
【００１７】
前記、軸１ｋの中心と密着皿１ｊの中間と、軸１ｋの中心と背面装飾体１ｌの中間には、膨張部１ｍ、１ｎが施されており、前記挟着具受け部１ｂの貫通孔１ｉよりも、若干大きく作られている。挟着具１ｃが貫通孔１ｉを挿通する際に膨張部１ｍ、１ｎが前記環状ゴム１ｈを押し広げる抵抗力を利用し、前記挟着具１ｃを耳朶２ａの厚さに合わせて好きなところで留めることができる。
【００１８】
図７は、本発明であるイヤリングの第２実施例である。イヤリング３は、前記イヤリング１と同様の挟着構造をしている。即ち、イヤリング３は、Ｕ字型の彎曲部１ａと挟着具１ｃとからなり、耳朶２ａの後方側にくる彎曲部１ａの一端に挟着受け部１ｂが連設され、挟着受け部１ｂに挟着具１ｃを挿通する。
【００１９】
前記イヤリング１との異なっている箇所は、装飾具１ｄと、鎖１ｅと、輪状具１ｆの変わりに、彎曲部１ａの耳朶２ａの前側にくる方の一端に連設された固定型の装飾具３ａである。
【００２０】
図８は、イヤリングの第３実施例を装着した状態を示す正面図である。イヤリング４は、挟着部４ａとＵ字型の彎曲部４ｂとからなり、彎曲部４ｂの最下部より耳朶２ａより前側にくるあたりに輪状具４ｅを設けてある。前記輪状具４ｅには、鎖４ｃを介して装飾具４ｄが吊り下げられている。
【００２１】
図９は、イヤリングの第３実施例の狭着部拡大図、図１０は、狭着部の分解図、図１１は、第３の実施例の右側面図である。
【００２２】
図９及び図１０に示すように、イヤリング４の彎曲部４ｂの後方の端には貫通孔４ｌを持つレバー支持筒４ｉが設けられ、前記貫通孔４ｌとネジ式レバー４ｋが螺合している。ネジ式レバー４ｋの両端には、フランジ４ｊ、４ｊが設けられ、更に、一方の前記フランジ４ｊの外側には、先端がスプーン状に平らに広がる密着具４ｇを先端に持つレバー４ｆが連設されている。
【００２３】
前記レバー４ｆは、ネジ式レバー４ｋの右端より、中心部に向かって斜めになるように取り付けられている。また、前記レバー支持筒４ｉとレバー４ｆは、間に環状ゴム４ｈを挟んで連結されている。これは、レバー４ｆを回転させて締めた際に、環状ゴム４ｈの摩擦力を利用して勝手に緩んでしまわないようにするもである。尚、前記環状ゴム４ｈは、ゴムだけに限定するもではなく、同じように摩擦力のある素材を使うことも可能である。
【００２４】
図１１に示すように、イヤリング４を装着し、後方から見た場合でも密着具４ｇが小さいため場所を取らず目立たない。
【００２５】
図１２は、イヤリングの第４の実施例の挟着部の拡大図である。図１２に示す第４の実施例は、前記イヤリング４の挟着部４ａをレバー支持筒４ｉに連結する際に使用した環状ゴム４ｈを前記レバー支持筒４ｉの両側で使用したものである。これにより、挟着部４ａは、更に緩みにくしっかりと留まるようになる。
【００２６】
図１３は、本発明であるイヤリングの第５実施例である。イヤリング５は、前記イヤリング４と挟着方法においては、同様の構造をしている。装飾部分において、前記、鎖４ｃ、装飾具４ｄ、輪状具４ｅの変わりに、固定式の装飾具５ａを彎曲部４ｂの耳朶２ａの前側に来る一端に使用したものである。
【００２７】
図１４は、イヤリングの第６実施例の装着した状態を示す正面図である。イヤリング６は、挟着部６ａと、彎曲部６ｂと、装飾具６ｄとからなる。彎曲部６ｂはＵ字型をしており、耳朶２ａの後方側にくる一端には挟着部６ａが連設され、彎曲部６ｂの最下端よりやや前方には、輪状具６ｅが設けられている。前記、輪状具６ｅには、鎖６ｃを介して装飾具６ｄが吊り下げられている。
【００２８】
図１５は、イヤリングの第６実施例の右側面図、図１６は、第６実施例の分解図である。図１５及び図１６に示すように、挟着部６ａは、先端がスプーン状に広がり平らの形状をした密着具６ｆを設けたレバー６ｇと、前記レバー６ｇの土台となるレバー基部６ｈと、ゴム板６ｉ、６ｊとレバー支持筒６ｋとからなる。
【００２９】
図１７及び図１８は、本発明であるイヤリングの第６実施例の狭着部断面図である。図１７に示すように、レバー基部６ｈ及び、レバー支持筒６ｋは共に円柱状をしており、レバー基部６ｈは、レバー支持筒６ｋに内包される際、両側をゴム板６ｉ、６ｊに挟まれた状態で、内包される。これにより、レバー基部６ｈとレバー支持筒６ｋの内部との間に摩擦力が生じ、レバー基部６ｈが回転運動する際に制御される。即ち、レバー６ｇを連接したレバー基部６ｈを好きな角度で留めることができる。
【００３０】
図１８に示すように、レバー６ｇの上部は、スプーン状に平らに広がる密着具６ｆとなっており、下端のレバー基部６ｈに挿入される接続部６ｌは、表面に凹凸が施してあり、レバー基部６ｈ内の凹凸と歯合される。
【００３１】
図１９は、本発明であるイヤリングの第６実施例の右側面図である。図１９に示すように、イヤリング６は、留め具を小さくしたことで、装着後、後方よりみると目立たない。
【００３２】
図２０は、本発明であるイヤリングの第７実施例である。イヤリング７は、前記イヤリング６の装飾部分が異なっており、挟着方法は、イヤリング６と同様である。装飾部分は、前記鎖６ｃ、装飾具６ｄ、輪状具６ｅに変わり、固定式の装飾具７ａを使用したものである。装飾具７ａは、彎曲部６ｂの耳朶２ａの前側にくる方の一端に固定されている。
【００３３】
図２１は、本発明であるイヤリングの第１及び第２実施例の密着部にゴムカバーを装着した際の正面図、図２２は、イヤリングの第３実施例、第４実施例及び第５実施例の密着部にゴムカバーを装着した際の正面図、図２３は、イヤリングの第６実施例の密着部にゴムカバーを装着した際の右側面図である。
【００３４】
図２１に示すように、イヤリング第１実施例及び第２実施例で使用した挟着具１ｃの密着皿１ｊの部分に取り外し可能なゴムカバー８を取り付けたものである。
【００３５】
図２２に示すように、イヤリング第３実施例、第４実施例及び第５実施例密着具４ｇの部分にゴムカバー９を取り付けたものである。
【００３６】
図２３に示すように、イヤリングの第６実施例及び第７実施例のレバー６ｇの先端にある密着具６ｆの部分にゴムカバー１０を取り付けたものである。
【００３７】
前記ゴムカバー８、９、１０を取り付けることで、耳朶２ａを挟む際に滑り止めの役割をするため外れにくくなり、また耳朶に挟む時の痛みを和らげ長時間の使用ができる。ゴムカバー８、９、１０は、取り外しが可能であるため、使用せずに本発明を利用することも可能である。
【００３８】
図２４は、本発明であるイヤリングの第８実施例を装着した状態を示す正面図である。イヤリング１１は、彎曲部１１ａと装飾具１１ｃとからなり、彎曲部１１ａは、耳朶２ａに沿うように彎曲している。
【００３９】
図２４の示すように、彎曲部１１ａの後方の端には、挟着具受け部１１ｂを介して押止部１１ｅが設けられている。押止部１１ｅは、先端に向けて外側へ反っており、耳朶２ａに押止部１１ｅ全体が当たるような形状をしている。
【００４０】
図２５は、第８実施例の挟着部分の拡大図である。イヤリング１１の押止部１１ｅは、略四角形をしており、２つの貫通孔１１ｆ、１１ｆが開いている。中心には、押止部１１ｅが変形しないように、支持棒１１ｇが設けられている。
【００４１】
押止部１１ｅは、下側で回転部１１ｄと接続されており、回転部１１ｄは、円柱状をしている。前記回転部１１ｄには、２本の回転保護板１１ｈ、１１ｈが設置されている。
【００４２】
図２６は、本発明であるイヤリングの第８実施例の挟着部拡大図である。挟着受け部１１ｂ中央には、係止溝１１ｉが設けられている。係止溝１１ｉは、凹凸のある細長い孔である。
【００４３】
図２６に示すように、回転部１１ｄは、挟着具受け部１１ｂ内に取り付けられ、前記支持棒１１ｇが係止溝１１ｉより突出している。支持棒１１ｇは、係止溝１１ｉの幅だけを動くことができ、係止溝１１ｉの凹凸ごとに留めることができる。
【００４４】
図２７は、本発明であるイヤリングの第８実施例の挟着部分解図である。前記回転部１１ｄには、２箇所の溝１１ｊ、１１ｊがあり、溝１１ｊ、１１ｊには、貫通孔１１ｋを設けた回転保護板１１ｈ、１１ｈが取り付けられている。
【００４５】
図２８は、本発明であるイヤリングの第８実施例の挟着部の正面拡大図である。前記回転保護板１１ｈ、１１ｈは、挟着具受け部１１ｂの内部で、前記回転部１１ｄと、挟着具受け部１１ｂの摩擦力を強める働きをし、押止部１１ｅを矢印Ｂ方向に動かしイヤリング１１を留めた後に、回転部１１ｄが勝手に緩んでイヤリング１１が外れてしまうのを防止したものである。
【００４６】
図２９は、本発明であるイヤリングの第９実施例を装着した状態を示す正面図である。イヤリング１２は、彎曲部１２ａと装飾具１２ｃとからなり、彎曲部１２ａは、耳朶２ａに沿うように彎曲している。
【００４７】
彎曲部１２ａの一端には、挟着受け部１２ｂが取り付けられており、挟着受け部１２ｂを介して、押止部１２ｅが取り付けられている。押止部１２ｅは、外側に向けて反っており、耳朶２ａに押し当てる際に、押止部１２ｅ全体があたるようになっている。
【００４８】
図３０は、本発明であるイヤリングの第９実施例の挟着部分の拡大図、図３１は、挟着部分の斜視図である。押止部１２ｅは、略四角形をしており、貫通孔１２ｆが空いている。押止部１２ｅは、下側で回転部１２ｄと接続されており、回転部１２ｄは、円柱状をしている。
【００４９】
図３０及び図３１に示すように、回転部１２ｄには、ネジ山１２ｇがあり、その両端には、回転保護板１２ｉ、１２ｉ及び挟着板１２ｈ、１２ｈが取り付けられている。また、回転部１２ｄを挟着受け部１２ｂに取り付ける際、前記回転保護部板１２ｉ、１２ｉ及び、挟着板１２ｈ、１２ｈが、挟着受け部１２ｂを挟み込むような形で取り付ける。
【００５０】
図３２は、本発明であるイヤリングの第９実施例の挟着部分の正面拡大図である。前記挟着板１２ｈ、１２ｈと回転保護板１２ｉ、１２ｉを取り付けることで、回転部１２ｄの回転が制御され、勝手に緩むことがない。
【００５１】
図３３は、本発明であるイヤリングの第８実施例の押止部にゴムカバーを装着した際の右側面図、図３４は、イヤリングの第９実施例の押止部にゴムカバーを装着した際の右側面図である。押止部１１ｅ、１２ｅ全体にゴムカバー１３、１４を取り付けることで、耳朶２ａに当たる感触を和らげ、長時間の装着を可能とした。
【００５２】
【発明の効果】
本発明は、以上に説明したような構成であるから以下の効果が得られる。第１に、本発明であるイヤリングは従来のような機構を用いないので脱着時間が短くできる。
【００５３】
第２に、本発明であるイヤリングは狭着部の固定に柔軟な素材を使用し、装着時に無理圧力がかからないので、狭着部が耳朶を圧迫することによる痛みを感じない。
【００５４】
第３に、本発明であるイヤリングは、上記の機構が簡易であり小型化でき、また背面にも装飾を施せるなど機構部が目立たずファッション性にも優れる。
【図面の簡単な説明】
【図１】本発明であるイヤリングの第１実施例を装着した状態を示す正面図である。
【図２】本発明であるイヤリングの第１実施例の正面図である。
【図３】本発明であるイヤリングの第１実施例の狭着具受け部の拡大図である。
【図４】本発明であるイヤリングの第１実施例の狭着具受け部の断面図である。
【図５】本発明であるイヤリングの第１実施例の狭着具受け部の右側面図である。
【図６】本発明であるイヤリングの第１実施例の狭着具の拡大図である。
【図７】本発明であるイヤリングの第２実施例である。
【図８】本発明であるイヤリングの第３実施例である。
【図９】本発明であるイヤリングの第３実施例の狭着部拡大図である。
【図１０】本発明であるイヤリングの第３実施例の狭着部の分解図である。
【図１１】本発明であるイヤリングの第３実施例の右側面図である。
【図１２】本発明であるイヤリングの第４の実施例の挟着部の拡大図である。
【図１３】本発明であるイヤリングの第５実施例である。
【図１４】本発明であるイヤリングの第６実施例の装着した状態を示す正面図である。
【図１５】本発明であるイヤリングの第６実施例の右側面図である。
【図１６】本発明であるイヤリングの第６実施例の分解図である。
【図１７】本発明であるイヤリングの第６実施例の狭着部断面図である。
【図１８】本発明であるイヤリングの第６実施例の狭着部断面図である。
【図１９】本発明であるイヤリングの第６実施例の右側面図である。
【図２０】本発明であるイヤリングの第７実施例である。
【図２１】本発明であるイヤリングの第１、第２実施例の密着部にゴムカバーを装着した際の正面図である。
【図２２】本発明であるイヤリングの第３実施例の密着部にゴムカバーを装着した際の正面図である。
【図２３】本発明であるイヤリングの第６実施例の密着部にゴムカバーを装着した際の正面図である。
【図２４】本発明であるイヤリングの第８実施例の装着した状態を示す正面図である。
【図２５】本発明であるイヤリングの第８実施例の挟着部分の拡大図である。
【図２６】本発明であるイヤリングの第８実施例の挟着部分の拡大図である。
【図２７】本発明であるイヤリングの第８実施例の挟着部部分の分解図である。
【図２８】本発明であるイヤリングの第８実施例の挟着部分の正面拡大図である。
【図２９】本発明であるイヤリングの第９実施例の装着した状態を示す正面図である。
【図３０】本発明であるイヤリングの第９実施例の挟着部分の拡大図である。
【図３１】本発明であるイヤリングの第９実施例の挟着部分の斜視図である。
【図３２】本発明であるイヤリングの第９実施例の挟着部分の正面拡大図である。
【図３３】本発明であるイヤリングの第８実施例の押止部にゴムカバーを装着した際の右側面図である。
【図３４】本発明であるイヤリングの第９実施例の押止部にゴムカバーを装着した際の右側面図である。
【符号の説明】
１　　　イヤリング
１ａ　　彎曲部
１ｂ　　狭着具受け部
１ｃ　　狭着具
１ｄ　　装飾具
１ｅ　　鎖
１ｆ　　輪状具
１ｇ　　ケース
１ｈ　　環状ゴム
１ｉ　　貫通孔
１ｊ　　密着皿
１ｋ　　軸
１ｌ　　背面装飾部
１ｍ　　膨張部
１ｎ　　膨張部
２　　　耳
２ａ　　耳朶
３　　　イヤリング
３ａ　　装飾具
４　　　イヤリング
４ａ　　狭着部
４ｂ　　彎曲部
４ｃ　　鎖
４ｄ　　装飾具
４ｅ　　輪状具
４ｆ　　レバー
４ｇ　　密着具
４ｈ　　環状ゴム
４ｉ　　レバー支持筒
４ｊ　　フランジ
４ｋ　　ネジ式レバー
４ｌ　　貫通孔
５　　　イヤリング
５ａ　　　装飾具
６　　　　　　イヤリング
６ａ　　狭着部
６ｂ　　彎曲部
６ｃ　　鎖
６ｄ　　装飾具
６ｅ　　輪状具
６ｆ　　密着具
６ｇ　　レバー
６ｈ　　レバー基部
６ｉ　　ゴム板
６ｊ　　ゴム板
６ｋ　　レバー支持筒
６ｌ　　接続部
７　　　イヤリング
７ａ　　装飾具
８　　　ゴムカバー
９　　　ゴムカバー
１０　　ゴムカバー
１１　　イヤリング
１１ａ　彎曲部
１１ｂ　挟着具受け部
１１ｃ　装飾具
１１ｄ　回転部
１１ｅ　押止部
１１ｆ　貫通孔
１１ｇ　支持棒
１１ｈ　回転保護板
１１ｉ　係止溝
１１ｊ　溝
１１ｋ　貫通孔
１２　　イヤリング
１２ａ　彎曲部
１２ｂ　挟着受け部
１２ｃ　装飾具
１２ｄ　回転部
１２ｅ　押止部
１２ｆ　貫通孔
１２ｇ　ネジ山
１２ｈ　挟着板
１２ｉ　回転保護板
１３　　ゴムカバー
１４　　ゴムカバー
【図１】
2004073702.tif 000003
【図２】
2004073702.tif 000004
【図３】
2004073702.tif 000005
【図４】
2004073702.tif 000006
【図５】
2004073702.tif 000007
【図６】
2004073702.tif 000008
【図７】
2004073702.tif 000009
【図８】
2004073702.tif 000010
【図９】
2004073702.tif 000011
【図１０】
2004073702.tif 000012
【図１１】
2004073702.tif 000013
【図１２】
2004073702.tif 000014
【図１３】
2004073702.tif 000015
【図１４】
2004073702.tif 000016
【図１５】
2004073702.tif 000017
【図１６】
2004073702.tif 000018
【図１７】
2004073702.tif 000019
【図１８】
2004073702.tif 000020
【図１９】
2004073702.tif 000021
【図２０】
2004073702.tif 000022
【図２１】
2004073702.tif 000023
【図２２】
2004073702.tif 000024
【図２３】
2004073702.tif 000025
【図２４】
2004073702.tif 000026
【図２５】
2004073702.tif 000027
【図２６】
2004073702.tif 000028
【図２７】
2004073702.tif 000029
【図２８】
2004073702.tif 000030
【図２９】
2004073702.tif 000031
【図３０】
2004073702.tif 000032
【図３１】
2004073702.tif 000033
【図３２】
2004073702.tif 000034
【図３３】
2004073702.tif 000035
【図３４】
2004073702.tif 000036